【手続補正書】
【提出日】平成17年6月1日(2005.6.1)
【手続補正１】
【補正対象書類名】特許請求の範囲
【補正対象項目名】全文
【補正方法】変更
【補正の内容】
【特許請求の範囲】
【請求項１】
親水性コアを取り囲むシェル壁からなる粒子を含む粒状組成物であって、
シェル壁が、ポリマーコアセルベートから形成され、かつ粒子が、ポリマー両親媒性安定化剤を含む、粒状組成物。
【請求項２】
ポリマー両親媒性安定化剤が、少なくとも１種の親水性エチレン不飽和モノマーを、少なくとも１種の疎水性エチレン不飽和モノマーと共重合させることにより形成される、請求項１記載の組成物。
【請求項３】
ポリマー両親媒性安定化剤が、シェル壁を少なくとも部分的にコーティングする、請求項１又は請求項２記載の組成物。
【請求項４】
シェル壁が、アミノプラスト樹脂を含む、請求項１〜３のいずれか１項記載の組成物。
【請求項５】
シェル壁が、少なくとも２個のアミド及び／又はアミン基及び１個のアルデヒドを含有する化合物、好ましくは尿素ホルムアルデヒド樹脂及びメラミンホルムアルデヒド樹脂から選択されるものから形成される、請求項１〜４のいずれか１項記載の組成物。
【請求項６】
シェル壁が、ＬＣＳＴポリマー、好ましくはポリ酢酸ビニルの部分加水分解により製造されるポリビニルアルコールから形成される、請求項１〜５のいずれか１項記載の組成物。
【請求項７】
ポリマーコアセルベートが、架橋されている、請求項１〜６のいずれか１項記載の組成物。
【請求項８】
シェル壁が揮発性対イオンとのイオン化可能なポリマーの塩から形成される組成物であって、
イオン化可能なポリマーが、
（ｉ）対イオンは揮発性酸、好ましくは酢酸から誘導される、エチレン不飽和遊離塩基アミンのポリマーと、
（ii）対イオンは揮発性塩基、好ましくはアンモニア又は揮発性アミンから誘導される、エチレン不飽和遊離酸のポリマーと、から選択される、請求項１〜７のいずれか１項記載の組成物。
【請求項９】
イオン化可能なポリマーが、
（ａ）エチレン不飽和疎水性モノマーと、
（ｂ）下記：
（ｉ）式：ＣＨ2＝ＣＲ1ＣＯＸＲ2ＮＲ3Ｒ4
（式中、Ｒ1は、水素又はメチルであり、Ｒ2は、少なくとも２個の炭素原子を含むアルキレンであり、Ｘは、Ｏ又はＮＨであり、Ｒ3は、炭化水素基であり、そしてＲ4は、水素又は炭化水素基である）の遊離塩基モノマー、又は
（ii）遊離カルボン酸モノマー
のいずれかのモノマーと、のコポリマーから形成される、請求項８記載の組成物。
【請求項１０】
Ｒ4が水素であり、Ｒ3が少なくとも４個の炭素原子、好ましくはｔ−ブチルであり、Ｒ1がメチルであり、Ｒ2がエチレンであり、そしてＸがＯである、請求項９記載の組成物。
【請求項１１】
遊離カルボン酸モノマーが、アクリル酸又はメタクリル酸である、請求項９記載の組成物。
【請求項１２】
疎水性モノマーが、５０℃を超えるガラス転移温度のホモポリマーを形成することができるモノマーからなる群より選択される、請求項９〜１１のいずれか１項記載の組成物。
【請求項１３】
疎水性モノマーが、スチレン、メタクリル酸メチル、アクリロニトリル、メタクリル酸第３級ブチル、メタクリル酸フェニル、メタクリル酸シクロヘキシル及びメタクリル酸イソボルニルからなる群より選択される、請求項９〜１２のいずれか１項記載の組成物。
【請求項１４】
ポリマーが、５５〜８５重量％のメタクリル酸メチルと１５〜４５重量％の第３級ブチルアミノ−エチルメタクリラートとのコポリマーである、請求項９〜１３のいずれか１項記載の組成物。
【請求項１５】
ポリマーが、５５〜８５重量％のメタクリル酸メチルと１５〜４５重量％のメタクリル酸アンモニウムとのコポリマーである、請求項９〜１３のいずれか１項記載の組成物。
【請求項１６】
粒子が、イオン化可能なポリマーによりコーティングされている、請求項１〜１５のいずれか１項記載の組成物。
【請求項１７】
イオン化可能なポリマーが、前記疎水性モノマー及び揮発性対イオンとの遊離塩基モノマーの塩を含むモノマーブレンドから形成されるポリマー塩である、請求項１６記載の組成物。
【請求項１８】
粒子の９０重量％が３０ミクロン未満である、請求項１〜１７のいずれか１項記載の組成物。
【請求項１９】
コア物質が、水性である、請求項１〜１８のいずれか１項記載の組成物。
【請求項２０】
コア物質が、低分子量の活性成分を含む、請求項１〜１９のいずれか１項記載の組成物。
【請求項２１】
活性成分が、１，０００未満、好ましくは５００未満の分子量を有する、請求項１〜２０のいずれか１項記載の組成物。
【請求項２２】
コア物質が、緩衝系及び／又は金属イオン封鎖剤及び／又は洗剤ビルダーを含む、請求項１〜２１のいずれか１項記載の組成物。
【請求項２３】
コア物質が、クエン酸を含む、請求項１〜２２のいずれか１項記載の組成物。
【請求項２４】
親水性コアを取り囲むシェル壁からなる粒子を含む粒状組成物の製造方法であって、
ａ）コアセルベーションによりシェル壁を形成できる壁構築物質を含有する水性液体を形成する工程、
ｂ）水非混和性液体の連続相に分散された水性液滴を含む分散液を形成するために、安定化物質を含む水非混和性液体中に、水性液体を分散させる工程、
ｃ）壁構築物質が水性液滴の表面でコアセルベートするような、コアセルベーション条件に、分散液を付す工程
を含み、
安定化物質が、ポリマー両親媒性安定化剤を含むことを特徴とする方法。
【請求項２５】
ポリマー両親媒性安定化剤が、少なくとも１種の親水性エチレン不飽和モノマーを、少なくとも１種の疎水性エチレン不飽和モノマーと共重合させることにより形成される、請求項２４記載の方法。
【請求項２６】
ポリマー両親媒性安定化剤が、工程ｃ）の間に水性液滴の表面に会合する、請求項２４又は請求項２５記載の方法。
【請求項２７】
ポリマー両親媒性安定化剤が、シェル壁を少なくとも部分的にコーティングする、請求項２４〜２６のいずれか１項記載の方法。
【請求項２８】
壁構築物質が、アミノプラストプレポリマーであり、かつシェル壁が、アミノプラスト樹脂を含む、請求項２４〜２７のいずれか１項記載の方法。
【請求項２９】
壁構築物質が、少なくとも２個のアミド及び／又はアミン基を１個のアルデヒドと共に含有する化合物、好ましくは尿素ホルムアルデヒド樹脂及びメラミンホルムアルデヒド樹脂から選択されるものである、請求項２８記載の方法。
【請求項３０】
コアセルベーション条件が、壁構築物質がアミノプラスト樹脂を形成するのに充分なように、５０℃より上まで分散液の温度を上昇させることを含む、請求項２８又は請求項２９記載の方法。
【請求項３１】
壁構築物質が、ＬＣＳＴポリマー、好ましくはポリ酢酸ビニルの部分加水分解により製造されるポリビニルアルコールである、請求項２４〜２７のいずれか１項記載の方法。
【請求項３２】
ＬＣＳＴポリマーが、水性液滴の表面に沈着して、シェルを形成し、その後シェルを安定化させ、好ましくは架橋により安定化させるように、コアセルベーション条件が、臨界溶解温度より上まで分散液の温度を上昇させることを含む、請求項３１記載の方法。
【請求項３３】
壁構築物質が、揮発性対イオンとのイオン化可能なポリマーの塩である、請求項２４〜２７のいずれか１項記載の方法。
【請求項３４】
イオン化可能なポリマーが、請求項９〜１５のいずれか１項と同義である、請求項３３記載の方法。
【請求項３５】
イオン化可能なポリマーが、水性液滴の表面に沈着して、シェルを形成し、その後場合によりシェルを安定化させ、好ましくは架橋により安定化させるように、コアセルベーション条件が、揮発性対イオンを除去するのに充分に分散液の温度を上昇させることを含む、請求項３３又は３４記載の方法。
【請求項３６】
粒子が、イオン化可能なポリマーによりコーティングされる、請求項２４〜３５のいずれか１項記載の方法。
【請求項３７】
粒子が、下記：
Ａ）コーティングされていない粒子を、場合により両親媒性ポリマー安定化剤を含有する水非混和性液体中に分散させることにより分散液を形成させる工程、
Ｂ）得られたものに、揮発性対イオンとのイオン化可能なポリマーの塩を含有する水溶液を添加する工程、
Ｃ）ポリマー溶液を、工程Ａ）の水非混和性液相に分散させる工程、及び
Ｄ）分散液を脱水に付し、ここで、水を水性粒子から蒸発させることにより、イオン化可能なポリマーでコーティングされた粒子を生成させ、そして塩の揮発性対イオン成分が、蒸留中に蒸発し、そしてイオン化可能なポリマーが、その遊離塩基又は酸型に変換される工程
によりコーティングされる、請求項３６記載の方法。
【請求項３８】
イオン化可能なポリマーが、前記疎水性モノマー及び揮発性対イオンとの遊離塩基モノマーの塩を含むモノマーブレンドから形成されるポリマー塩である、請求項３７記載の方法。
【請求項３９】
水非混和性液体が、炭化水素又はシリコーン油である、請求項２４〜３８のいずれか１項記載の方法。
【請求項４０】
粒子が、請求項１〜２３のいずれか１項と同義である、請求項２４〜３９のいずれか１項記載の方法。
【請求項４１】
請求項１〜２３のいずれか１項に定義された組成物、又は請求項２４〜４０のいずれか１項記載の方法により得られる組成物を含み、かつ親水性コア物質が、濃縮物中で放出されないが、洗濯作業の洗浄又は濯ぎサイクル中に放出される、液体洗剤濃縮液又は固体洗剤錠剤。